(57)【要約】　　　（修正有）【課題】リサイクル、塗装、印刷可能で、衝撃にも強いパチンコ台の盤面を提供する。【解決手段】厚さ約１５ミリメートルの釘打ち可能な単一材料のリサイクル可能な樹脂板にてパチンコ台の盤面を形成した。【選択図】　　図１
0003099834.tif 000002
【実用新案登録請求の範囲】
【請求項１】
厚さ約１５ミリメートルの釘打ち可能な単一材料のリサイクル可能な樹脂板にてパチンコ台の盤面を形成したことを特徴とするパチンコ台の盤面。
【請求項２】
釘打ち可能な樹脂板を複数層を厚さ約１５ミリメートルに積層してなる請求項１記載のパチンコ台の盤面。
【請求項３】
釘打ち可能な樹脂板は、非結晶性ポリエステル樹脂プレートである請求項１及び請求項２記載のパチンコ台の盤面。
【考案の詳細な説明】
【０００１】
【考案の属する技術分野】
この考案は、釘打ち可能な樹脂にてパチンコ台の盤面を成形することにより、パチンコ台のリサイクルの効率化を図るパチンコ台の盤面に関する。
【０００２】
【従来の技術】
従来、パチンコ台の盤面はその特性として反りが少なく、しかも釘打ち性等の加工性の点からブナ材が好んで使用されている。パチンコ台の盤面は主としてブナ材が使用される。又、パチンコが庶民の娯楽として常に流行を追って短時日でパチンコ台の盤面が廃棄、焼却されるためにブナ資源が急速に減少傾向にある。
このような現状を踏まえ、資源保護の見地よりパチンコ台の盤面を各種の代替材料が検討されている。（例えば特許文献１、特許文献２、特許文献３）
【０００３】
【特許文献１】
特開２００２−１２６２０４号
【特許文献２】
特開２０００−１４１３２４号
【特許文献３】
特開平９−２３９９１８号
【０００４】
【考案の解決しようとする課題】
従来技術では、パチンコ台の盤面は代替材料を使用してブナ材の使用を制限使用しているが、上記特許文献のような代替材料を使用するとしても、一定期間使用後には基本的にパチンコ台を焼却され、一旦廃棄されたパチンコ台の盤面は同じパチンコ台の盤面としてリサイクルされることはなかった。
【０００５】
上記特許文献１では、主としてブナ材の資源保護の観点から中密度の繊維板を積層して使用することにより反りの少ないブナ材の代替材料をを提供する。また、特許文献２では、釘打性及び釘保持力に優れ、且つ反りの少ないパチンコ台の盤面を開発すべく木質繊維をプラスチック材料をバインダーとして一体化することによりパチンコ台の盤面としている。
【０００６】
更に、特許文献３では、釘打性及び釘保持力の他に、ドリル孔開け、切削性等の加工性のよい安価な材料のパチンコ台の盤面を開発すべく古紙主体の繊維材料を熱可塑性樹脂にて一体化したものを提供している。しかしながら、特許文献１、特許文献２、特許文献３のパチンコ台の盤面では、それが廃棄される場合　には、それを焼却する他ないことは明瞭である。
【０００７】
全国的なパチンコ店舗数１万６千〜１万７千、パチンコ台を中心とする遊戯機器は、４７０万５０００台〜４７０万９０００台といわれている。この考案によると、前記に使用されているパチンコ台の盤面はリサイクル可能な単一材料のプラスチック素材にすることができるためにブナ資源の保護及び盤面のリサイクルという面からも非常に有効な解決手段を与えるものである。
【０００８】
そこで、この考案の目的とするところは、パチンコ台の盤面を厚さ約１５ミリメートルの釘打ち可能な樹脂板にて作成することにより従来パチンコ台の盤面に使用されているブナ材の有効な資源保護になる。更に、現在、指定省資源化製品に指定されているパチンコ台の盤面を焼却することなく完全リサイクルが可能になると共に、しかも、盤面の表面に凹凸がなく、塗装、印刷も可能で、更に衝撃にも強いパチンコ台の盤面を提供することである。
【０００９】
【課題を解決するための手段】
本考案は、上記の問題点に鑑み、厚さ約１５ミリメートルの釘打ち可能な単一材料のリサイクル可能な樹脂板にてパチンコ台の盤面を形成したものである。
【００１０】
パチンコ台の盤面の反り等を抑えるために、釘打ち可能な樹脂板を複数層を厚さ約１５ミリメートルに積層してなる。
【００１１】
更に、釘打ち可能な樹脂板は、非結晶性ポリエステル樹脂プレートとした場合には効率的にリサイクル可能となる。
【００１２】
【考案の実施の形態】
通常パチンコ台Ａの盤面は、基板の表面に絵柄を施してる絵柄紙を張着してある。本考案に使用するパチンコ台Ａの盤面１は、基板として使用する透明性非結晶性ポリエステル樹脂プレート２と、この透明性非結晶性ポリエステル樹脂プレート２の上表面に貼着してある絵柄紙３とからなっている。
【００１３】
この透明性非結晶性ポリエステル樹脂プレート２は、厚み１５ミリメートル単層でもよいが、反りを防止する点では、図２に示すような厚さ約５ミリメートルの透明性非結晶性ポリエステル樹脂プレート２ａ、２ｂ、２ｃの３枚を積層貼着してなる全体として厚み１５ミリメートルの盤面を形成してもよい。積層盤面の厚みは全体として約１５ミリメートルとなり従来パチンコ台の盤面に使用されている厚みと同様となる。
【００１４】
この透明性非結晶性ポリエステル樹脂プレート２は、釘４打ち性及び釘４打ち後の釘４の保持力は殆どブナ材とほぼ類似のものを有しているから、パチンコ台の盤面の作成時及びリサイクル時の釘４の抜出の際にも従来使用されている同じ作業にて行える。
【００１５】
透明性非結晶性ポリエステル樹脂プレート２は、例えばタキロン株式会社にて商品名、「ＰＥＴＥＣ」（登録商標）として販売しているものを使用することができる。同様の特性を示す透明性非結晶性ポリエステル樹脂プレートは、数社から販売されている。
【００１６】
タキロン株式会社の「ＰＥＴＥＣ」（登録商標）として販売されている透明性非結晶性ポリエステル樹脂プレートの物性を以下列挙する。
0003099834.tif 000003
【００１７】
上記の物性には直接表れていないが、特にパチンコ台の盤面１に要請される釘４打ち、リベット、ネジ加工性及び、釘４打ちされた後の打ち釘４の保持力が、パチンコ台の盤面１として従来使用されているブナ材とほぼ同様の特性を示す他、ドリル孔開け、切削性等の加工性にも優れた特性を有しているので、パチンコ台の盤面１の裏面での部品、装置の取付けも従来品と同様に行ない得る。更に、必要な場合には、パチンコ台の盤面に直接印刷や、塗装も簡単に行える。しかも、焼却時の有毒ガスの排出がほとんどない。
【００１８】
さらに、パチンコ台の盤面１として使用した場合に有利なことは、ここに使用される透明性非結晶性ポリエステル樹脂プレートは１００％リサイクル可能な材料であり、これを万一、廃棄した場合には腐食し、土にかえる特性を有している。
【００１９】
【考案の効果】
請求項１のパチンコ台の盤面では、厚さ約１５ミリメートルの釘打ち可能な単一材料のリサイクル可能な樹脂板にてパチンコ台の盤面を形成したので、釘打ち、釘の抜出の際に、従来ブナ材に使用されていたパチンコ台の盤面における作業と殆ど同様の作業で行える効果がある。又、パチンコ台の盤面が単一材料の樹脂板にて成形されているために、パチンコ台が廃棄される場合、パチンコ台の盤面は全てリサイクル可能であるから、資源保護になりと共にパチンコ台の盤面のリサイクル性を考慮すれば全体として安価のパチンコ台を提供することができることになる。
請求項２のパチンコ台の盤面では、釘打ち可能な樹脂板を複数層を厚さ約１５ミリメートルに積層してなるので、反り等を効果的に防止することができる。
請求項３のパチンコ台の盤面では、釘打ち可能な単一材料のタサイクル可能な樹脂板は、非結晶性ポリエステル樹脂プレートとしてあるので、パチンコ台の盤面より釘、紙を除去した後にはパチンコ台の盤面の１００％、完全なリサイクルが可能となり、「指定再利用資源化製品」であるパチンコ台としても極めて実用的な効果がある。しかも、ここに使用した非結晶性ポリエステル樹脂プレートは、極めて良好な耐衝撃性を有すると共に釘打ち、リベット、ネジ加工性及び、釘の保持力が、パチンコ台の盤面として従来使用されているブナ材とほぼ同様の特性を示す他、ドリル孔開け、切削性等の加工性にも優れた特性を有している。
更に、万が一、このパチンコ台の盤面を廃棄した場合であっても、腐食性を有しているので土に戻る特性を有しているので、環境を破壊することはない。
【図面の簡単な説明】
【図１】パチンコ台の盤面の断面図
【図２】パチンコ台の積層盤面の断面図
【図３】パチンコ台の保護用板ガラスの一部を切り欠いて示した正面図。
【符号の説明】
１．．．パチンコ台の盤面
２．．．透明性非結晶性ポリエステル樹脂プレート
３．．．絵柄紙
４．．．釘
５．．．保護用板ガラス
Ａ．．．パチンコ台
【図１】
0003099834.tif 000004
【図２】
0003099834.tif 000005
【図３】
0003099834.tif 000006
【手続補正書】
【提出日】平成15年5月9日(2003.5.9)
【手続補正１】
【補正対象書類名】明細書
【補正対象項目名】実用新案登録請求の範囲
【補正方法】変更
【補正の内容】
【実用新案登録請求の範囲】
【請求項１】
厚さ約１５ミリメートルの釘打ち可能な単一材料のリサイクル可能な樹脂板にてパチンコ台の盤面を形成したことを特徴とするパチンコ台の盤面。
【請求項２】
釘打ち可能な樹脂板は、複数層を厚さ約１５ミリメートルに積層してなる請求項１記載のパチンコ台の盤面。
【請求項３】
釘打ち可能な樹脂板は、非結晶性ポリエステル樹脂プレートである請求項１及び請求項２記載のパチンコ台の盤面。
【手続補正２】
【補正対象書類名】明細書
【補正対象項目名】００１０
【補正方法】変更
【補正の内容】
【００１０】
パチンコ台の盤面の反り等を抑えるために、釘打ち可能な樹脂板は、複数層を厚さ約１５ミリメートルに積層してなる。




【手続補正書】
【提出日】平成15年10月3日(2003.10.3)
【手続補正１】
【補正対象書類名】明細書
【補正対象項目名】実用新案登録請求の範囲
【補正方法】変更
【補正の内容】
【実用新案登録請求の範囲】
【請求項１】
表面に絵柄を施してなるパチンコ台の盤面において、該パチンコ台の盤面を厚さ約１５ミリメートルの釘打ち可能な単一材料のリサイクル可能な樹脂板にてパチンコ台の盤面を形成したことを特徴とするパチンコ台の盤面。
【請求項２】
釘打ち可能な樹脂板は、複数層を厚さ約１５ミリメートルに積層してなる請求項１記載のパチンコ台の盤面。
【請求項３】
釘打ち可能な樹脂板は、非結晶性ポリエステル樹脂プレートである請求項１及び請求項２記載のパチンコ台の盤面。